(57)【要約】【課題】  発錆の問題が解消でき、軽量化ができるのみならず金属探知器による検査で反応するという問題、焼却廃棄処理時の残灰に金属も残るという問題が解消でき、用済み後には分別処理をせずとも廃棄できる、形の整え（直し）性がよい新規の玉縁、及び当該玉縁を備えた製品を提供する。【解決手段】  皮革や布若しくは合成樹脂シート製のテープ状生地を二つ折りにすると共に当該二つ折りの折曲側縁辺に近い同辺に平行する線上個所を縫合することによりチューブ状の玉飾り部分と縫止め部分とからなる玉縁本体部が構成され、上記玉飾り部分内には糸条の織編による筒状被体が予め被着されている構成の、器械力塑性を有する合成樹脂材料製の芯材が内蔵され、上記縫止め部分の外辺縁にはピンキング縁が設けられたものである。【選択図】        図１
0003115756.tif 000002
【実用新案登録請求の範囲】
【請求項１】
チューブ状の玉飾り部分と、当該玉飾り部分内に入れた器械力塑性を有する合成樹脂材料製の芯材と、縫止め部分からなること特徴とする玉縁。
【請求項２】
皮革や布若しくは合成樹脂シート製のテープ状生地を二つ折りにすると共に当該二つ折りの折曲側縁辺に近い同辺に平行する線上個所を縫合することによりチューブ状の玉飾り部分と縫止め部分とからなる玉縁本体部が構成され、上記玉飾り部分内には器械力塑性を有する合成樹脂材料製の芯材が内蔵され、上記縫止め部分の外辺縁にはピンキング縁が設けられたことを特徴とする玉縁。
【請求項３】
上記器械力塑性を有する合成樹脂材料製の芯材は、糸条の織編による筒状被体が被着されたものであることを特徴とする請求項１又は２記載の玉縁。
【請求項４】
請求項１ないし３のいずれかに記載の玉縁を備えたことを特徴とする製品。
【考案の詳細な説明】
【技術分野】
【０００１】  本考案は、チューブ状の玉飾り部分と縫止め部分からなる玉縁に関する。具体的には衣服、帽子、フリル付き手袋、鞄類、袋物類等に使用される、パイピングとも称される玉縁及び当該玉縁を備えた製品に関するものである。【０００２】  なお、本文中、「器械力塑性」とは、人力（じんりき）や、単純で小規模な道具を介して受けた外力を取り去っても歪（ひずみ）が残って変形したままの状態を保持する性質をいい、例えば針金や特殊な合成樹脂材料が有している、手指の力で９０度曲げてから手放したときの戻り角が３０度以下好ましくは１５度以下であるというような性質をいう。
【背景技術】
【０００３】  従前、この種玉縁として、チューブ状の玉飾り部分の中に、細紐・繊維糸製の芯材や普通の合成樹脂（器械力塑性を有しない）製の線条芯材、ワイヤを螺旋状に巻いて筒状にした芯材（特許文献１参照）、金属製の線条芯材を入れたものは広く使用されている。【０００４】  しかしながら、チューブ状の玉飾り部分の中に細紐・繊維糸製の芯材を入れた玉縁及び普通の合成樹脂製の線条芯材（器械力塑性を有しない）を入れた玉縁、ワイヤを螺旋状に巻いて筒状にした芯材は、器械力塑性を有していなく、姿、形の保持に難点があり且つ姿、形を整え（直し）にくいというような問題があった。他方、金属製の線条芯材を入れた玉縁は、器械力塑性があって姿、形を整え（直し）易いが、上記のワイヤ製の芯材もそうであるように、錆の発生が起り易いという問題や、軽量化に向いていないという問題、金属探知器による検査で反応するという問題、廃棄時の焼却処理において金属線材が残ってしまうという問題がある。又、近年は、これらが用済み後に廃棄するときには、分別処理が難しいという問題があった。
【特許文献１】登録実用新案公報第３００５９２７号公報
【考案の開示】
【考案が解決しようとする課題】
【０００５】  本考案は、上記のような諸問題点を解消する新規の玉縁及び当該玉縁を備えた製品を提供することを目的とするものである。
【課題を解決するための手段】
【０００６】  上記目的を達成するために、請求項１に係る玉縁にあっては、チューブ状の玉飾り部分と、当該玉飾り部分内に入れた器械力塑性を有する合成樹脂材料製の芯材と、縫止め部分からなること特徴とする。【０００７】  請求項２に係る玉縁にあっては、皮革や布若しくは合成樹脂シート製のテープ状生地を二つ折りにすると共に当該二つ折りの折曲側縁辺に近い同辺に平行する線上個所を縫合することによりチューブ状の玉飾り部分と縫止め部分とからなる玉縁本体を構成し、上記玉飾り部分内には器械力塑性を有する合成樹脂材料製の芯材を内蔵し、上記縫止め部分の外辺縁にはピンキング縁を設けたことを特徴とする。【０００８】  請求項３に係る玉縁にあっては、請求項１又は２に係る玉縁に関し、器械力塑性を有する合成樹脂材料製の芯材は、糸条の織編による筒状被体が被着されたものであることを特徴とする。【０００９】  請求項４に係る玉縁を備えた製品は、請求項１ないし３のいずれかに記載の玉縁を備えたことを特徴とする。
【考案の効果】
【００１０】  請求項１に係る玉縁は、チューブ状の玉飾り部分と、当該玉飾り部分内に入れた器械力塑性を有する合成樹脂材料製の芯材と、縫止め部分からなるので、姿、形を整えた状態において外力を受けない場合には、当該整え状態の姿、形の保持性が良好であるは勿論であるが、特に外力を受けたことにより意に反する不体裁な変形状態になってしまった場合には、上記整った姿、形若しくは好みの姿、形に手指で簡単に曲げ戻して容易に整え（直し）ることができる。いわゆる型崩れを簡単且つスピーディに修正しうる利点を有するものである。したがって、形や様子いわゆるスタイルの麗容を大事にする衣服、帽子、フリル付き手袋、鞄類、袋物類等に使用した場合には優れた好ましい効果を発揮できる。【００１１】  同請求項１に係る玉縁にあって芯材は、器械力塑性を有する合成樹脂材料製であるので、発錆の問題が解消でき、軽量化ができるのみならず金属探知器による検査で反応するという問題、焼却廃棄処理時の残灰に金属も残るという問題が解消できる。しかも用済み後には分別処理をせずともそのまま廃棄できる。【００１２】  請求項２に係る玉縁は、皮革や布若しくは合成樹脂シート製のテープ状生地を二つ折りにすると共に当該二つ折りの折曲側縁辺に近い同辺に平行する線上個所を縫合することによりチューブ状の玉飾り部分と縫止め部分とからなる玉縁本体を構成し、上記玉飾り部分内には器械力塑性を有する合成樹脂材料製の芯材が内蔵され、上記縫止め部分の外辺縁にはピンキング縁が設けられているので、請求項１に係る玉縁の効果に加え、たとえば衣服を縫製する場合、カーブがあるところではそのカーブに沿って芯材を予め曲げて全体を同カーブに沿うようにカーブさせておいてから縫うことができるものであり、縫製作業の容易化、時短化ができるのみならず綺麗に整った縫製品を仕上げ易い利点がある。【００１３】  請求項３に係る玉縁は、器械力塑性を有する合成樹脂材料製の芯材が、糸条の織編による筒状被体が被着されているものであるので、請求項１又は２に係る玉縁の効果に加え、当該芯材がチューブ状の玉飾り部分内で、いわゆるゴロゴロした感じで動いてしまうような違和感がない若しくは少ない良質の玉縁の提供ができ、製品価値を揚げることができる。【００１４】  請求項４に係る玉縁を備えた製品は、請求項１ないし３のいずれかに記載の玉縁を備えているので、玉縁の芯材がいわゆるゴロゴロした感じで動いてしまうような違和感を有しない優れた麗容さを放つ完成品を容易且つ確実に提供できる。
【考案を実施するための最良の形態】
【００１５】  本考案の実施の形態を図面に基づいて説明する。なお、図１は玉縁の一部分を拡大した状態で示す斜視図である。図２は図１Ａ−Ａに沿う断面図である。図３は当該玉縁を備えた衣服の袖口を示す斜視図である。図４は図３Ｂ−Ｂ船に沿う断面図である。【００１６】  この実施の形態に係る玉縁１は、図に示すように、合成皮革製のテープ状生地２を二つ折りにすると共に当該二つ折りの折曲側縁辺３に近い同縁辺３に平行する線上個所を糸条４により縫合することによりチューブ状の玉飾り部分５と縫止め部分６とからなる玉縁本体７を構成し、上記玉飾り部分５内には後述する器械力塑性を有する合成樹脂材料からなる芯材８が挿入され、上記縫止め部分６の外辺縁にはピンキング縁９が設けられているものである。なお、上記縫止め部分６は、広幅部１０と狭幅部１１により構成され、当該広幅部１０に上記ピンキング縁９が設けられている。なお、上記テープ状生地２は、織地、編地、皮、その他を使用したり、衣服等製品の共生地を使用したりできる。【００１７】  上記芯材８は、糸条１３の織編による筒状被体１４が被着されたものであり、この実施の形態に係る玉縁１には本考案者が先に出願した線条材（特願２００５−１２０２８０号参照）を使用している。【００１８】  なお、器械力塑性を有する合成樹脂材料は、ポリエチレン、当該ポリエチレンと他のポリオレフィンとの混合物、エチレン単独重合体、エチレン・α−オレフィン共重合体から選択されたものが好ましく、また、筒状被体１４は、天然繊維、合成繊維、半合成繊維及び再生繊維などの有機高分子化合物の繊維などから選ばれた繊維製の糸条１３が、上記芯材８を中心にしてその周りで組み紐を編む形式の組紐編機、筒編機等編機、細幅織機等織機を用いて織編されたものが好ましい。【００１９】  そして、図３及び図４に示す実施の形態に係る衣類１５は、その袖口１６に上記実施の形態に係る玉縁１を備えたものであり、その縫止め部分６を表地１７と裏地１８の間に挟み縫うことで完成された製品である。また、本考案に係る製品は、上記玉縁１を襟やポケット、フリルに入れた衣服、手の挿入口のフリルに入れた手袋、ブリムに入れた帽子等で実施することができる。【００２０】  なお、上記実施の形態は、筒状被体１４を被着した芯材８を使用したが、本考案は、筒状被体を被着していない芯材を使用しても実施できる。この場合、当該芯材が玉飾り部分内で遊動しないようにすることが望ましい。
【図面の簡単な説明】
【００２１】
【図１】本考案の実施の形態に係る玉縁の一部分を拡大した斜視図である。
【図２】図１Ａ−Ａ線に沿う断面図である。
【図３】上記玉縁を備えた衣服の一部を示す斜視図である。
【図４】図３Ｂ−Ｂ線に沿う断面図である。
【符号の説明】
【００２２】  １  実施の形態に係る玉縁
２  テープ状生地
３  折曲側縁辺
４  糸条
５  玉飾り部分
６  縫止め部分
７  玉縁本体
８  芯材
９  ピンキング縁
１０  広幅部
１１  狭幅部
１３  糸条
１４  筒状被体
１５  実施の形態に係る衣類
１６  袖口
１７  表地
１８  裏地
【図１】
0003115756.tif 000003
【図２】
0003115756.tif 000004
【図３】
0003115756.tif 000005
【図４】
0003115756.tif 000006